(57)【要約】      （修正有）【課題】液晶ディスプレイの電力消費量の低下及び交互する輝度分布を減少させるための極性反転方法を提供する。【解決手段】第１データ線の第１から第４までの走査線における極性は、第１フレームの（＋、＋、−、−）から第２フレームの（＋、−、−、＋）、第３フレームの（−、−、＋、＋）から第４フレームの（−、＋、＋、−）へと変化する。４フレーム毎の走査を行った後に全フレームの極性が繰り返され、第５フレームでは（＋、＋、−、−）に戻る。【選択図】図４Ａ
2005266803.tif 000002
【特許請求の範囲】
【請求項１】
液晶ディスプレイの駆動方法において、該液晶ディスプレイは複数のデータ線を備え、該各データ線は複数の画素に対応し、
前記方法は、前記各データ線の前記複数の画素を駆動するための複数の特定極性分布を使用し、
第１フレームは第１の特定極性分布を有し、前記第１フレームの後に続く第２フレームは第２の特定極性分布を有し、前記第２フレームに次ぐ第３フレームは第３の特定極性分布を有し、前記第３フレームに次ぐ第４フレームは第４の特定極性分布を有し、
前記第１の特定極性分布と、前記第２の特定極性分布と、前記第３の特定極性分布と、前記第４の特定極性分布とは互いに異なっている、液晶ディスプレイの駆動方法。
【請求項２】
前記特定極性分布のそれぞれは四つの特定極性を有し、前記四つの特定極性の内の二つの特定極性は第１の極性を有し、前記四つの特定極性の内のそのほかの二つの特定極性は第２の極性を有する、請求項１に記載の方法。
【請求項３】
前記第１の特定極性分布と、前記第２の特定極性分布と、前記第３の特定極性分布と、前記第４の特定極性分布とが互いに異なるように、前記第１の特定極性分布と、前記第２の特定極性分布と、前記第３の特定極性分布と、前記第４の特定極性分布とは極性循環規則によって配列される、請求項１に記載の方法。
【請求項４】
前記極性循環規則において、前の特定極性分布における複数の特定極性の内の先頭の特定極性を末尾にシフトさせて、該複数の特定極性のそのほかの特定極性をそのままにすることで、次に続く特定極性分布を形成する、請求項３に記載の方法。
【請求項５】
前記極性循環規則において、前の特定極性分布における複数の特定極性の内の末尾の特定極性を先頭にシフトさせて、該複数の特定極性のそのほかの特定極性をそのままにすることで、次に続く特定極性分布を形成する、請求項３に記載の方法。
【請求項６】
前記四つの特定極性のそれぞれにおいて、前記第１の極性を有する前記四つの特定極性の内の前記二つの特定極性は互いに隣接しており、そして／または前記第２の極性を有する前記四つの特定極性の内の前記そのほかの二つの特定極性は互いに隣接している、請求項２に記載の方法。
【請求項７】
液晶ディスプレイの駆動方法において、該液晶ディスプレイは複数のデータ線を備え、該各データ線は複数の画素に対応し、該各画素はキャパシタを備え、
前記方法は、前記各データ線の前記複数の画素を駆動するための複数の特定電荷分布を使用し、
第１フレームは第１の特定電荷分布を有し、前記第１フレームの後に続く第２フレームは第２の特定電荷分布を有し、前記第２フレームに次ぐ第３フレームは第３の特定電荷分布を有し、前記第３フレームに次ぐ第４フレームは第４の特定電荷分布を有し、
前記第１の特定電荷分布と、前記第２の特定電荷分布と、前記第３の特定電荷分布と、前記第４の特定電荷分布とは互いに異なっている、液晶ディスプレイの駆動方法。
【請求項８】
前記第１の特定電荷分布と、前記第２の特定電荷分布と、前記第３の特定電荷分布と、前記第４の特定電荷分布とのそれぞれは、充電化状態と、正に充電した状態と、放電化状態と、負に充電した状態とを含む四つの特定充放電状態を備える、請求項７に記載の方法。
【請求項９】
前記第１の特定電荷分布と、前記第２の特定電荷分布と、前記第３の特定電荷分布と、前記第４の特定電荷分布とが互いに異なるように、前記第１の特定電荷分布と、前記第２の特定電荷分布と、前記第３の特定電荷分布と、前記第４の特定電荷分布とは充電状態循環規則によって配列される、請求項７に記載の方法。
【請求項１０】
前記充電状態循環規則において、前記第１、第２、第３、第４の特定電荷分布における先頭の特定充放電状態を末尾にシフトさせて、該第１、第２、第３、第４の特定電荷分布における該特定充放電状態のそのほかの特定充放電状態をそのままにすることで、前記第２、第３、第４、第１の特定電荷分布が構成される、請求項９に記載の方法。
【請求項１１】
前記充電状態循環規則において、前記第１、第２、第３、第４の特定電荷分布における末尾の特定充放電状態を先頭にシフトさせて、該第１、第２、第３、第４の特定電荷分布における該特定充放電状態のそのほかの特定充放電状態をそのままにすることで、前記第２、第３、第４、第１の特定電荷分布が構成される、請求項９に記載の方法。
【請求項１２】
前記第１の特定電荷分布と、前記第２の特定電荷分布と、前記第３の特定電荷分布と、前記第４の特定電荷分布とのいずれかにおいて、前記充電化状態と前記正に充電した状態とは互いに隣接しており、そして／または前記放電化状態と前記負に充電した状態は互いに隣接している、請求項８に記載の方法。
【請求項１３】
液晶ディスプレイの駆動方法において、該液晶ディスプレイは複数のデータ線を備え、該各データ線は複数の画素に対応し、
前記方法は、前記各データ線の前記複数の画素を駆動するための複数の特定極性分布を使用し、
第１フレームは第１の特定極性分布を有し、前記第１フレームの後に続く第２フレームは第２の特定極性分布を有し、従って前記第１フレームから２ｎ番目（ｎ>２）フレームまでは、前記第１の特定極性分布と２ｎ番目特定極性分布とをそれぞれ有し、
前記第１の特定極性分布から前記２ｎ番目特定極性分布までの特定極性分布は互いに異なっている、液晶ディスプレイの駆動方法。
【請求項１４】
前記２ｎ番目特定極性分布のそれぞれは２ｎの特定極性を有し、前記２ｎの特定極性の内のｎは第１の極性を有し、前記２ｎの特定極性の内のそのほかのｎは第２の極性を有する、請求項１３に記載の方法。
【請求項１５】
前記第１の特定極性分布から前記２ｎ番目特定極性分布までが互いに異なるように、前記第１の特定極性分布から前記２ｎ番目特定極性分布までは極性循環規則によって配列される、請求項１４に記載の方法。
【請求項１６】
前記極性循環規則において、前の特定極性分布における複数の特定極性の内の先頭の特定極性を末尾にシフトさせて、該複数の特定極性のそのほかの特定極性をそのままにすることで、次に続く特定極性分布を形成する、請求項１５に記載の方法。
【請求項１７】
前記極性循環規則において、前の特定極性分布における複数の特定極性の内の末尾の特定極性を先頭にシフトさせて、該複数の特定極性のそのほかの特定極性をそのままにすることで、次に続く特定極性分布を形成する、請求項１５に記載の方法。
【請求項１８】
前記２ｎの特定極性のそれぞれにおいて、前記第１の極性を有する四つの特定極性の内の前記ｎは互いに隣接しており、そして／または前記第２の極性を有する前記四つの特定極性の内の前記そのほかのｎは互いに隣接している、請求項１４に記載の方法。
【請求項１９】
液晶ディスプレイの駆動方法において、該液晶ディスプレイは複数のデータ線を備え、該各データ線は複数の画素に対応し、該各画素はキャパシタを備え、
前記方法は、前記各データ線の前記複数の画素を駆動するための複数の特定電荷分布を使用し、
第１フレームは第１の特定電荷分布を有し、前記第１フレームの後に続く第２フレームは第２の特定電荷分布を有し、従って前記第１フレームから２ｎ番目（ｎ>２）フレームまでは、前記第１の特定電荷分布と２ｎ番目特定電荷分布とをそれぞれ有し、
前記第１の特定電荷分布から前記２ｎ番目特定電荷分布までの特定電荷分布は互いに異なっている、液晶ディスプレイの駆動方法。
【請求項２０】
前記第１の特定電荷分布から前記２ｎ番目特定電荷分布までのそれぞれは、充電化状態と、ｎ−１個の正に充電した状態と、放電化状態と、ｎ−１個の負に充電した状態とを含む２ｎの特定充放電状態を備える、請求項１９に記載の方法。
【請求項２１】
前記第１の特定電荷分布から前記２ｎ番目特定電荷分布までが互いに異なるように、前記第１の特定電荷分布から前記２ｎ番目特定電荷分布までのそれぞれは充電状態循環規則によって配列される、請求項１９に記載の方法。
【請求項２２】
前記充電状態循環規則において、前記第１、第２、…、（ｍ−１）番目、…、（２ｎ−２）番目、（２ｎ−１）番目、２ｎ番目の特定電荷分布における先頭の特定充放電状態を末尾にシフトさせて、該第１、第２、…、（ｍ−１）番目、…、（２ｎ−２）番目、（２ｎ−１）番目、２ｎ番目の特定電荷分布における該特定充放電状態のそのほかの特定充放電状態をそのままにすることで、前記第２、第３、…、ｍ番目、…、（２ｎ−１）番目、２ｎ番目、第１の特定電荷分布が構成される（但し、１<ｍ<２ｎ、ｍは整数）、請求項２１に記載の方法。
【請求項２３】
前記充電状態循環規則において、前記第１、第２、…、（ｍ−１）番目、…、（２ｎ−２）番目、（２ｎ−１）番目、２ｎ番目の特定電荷分布における末尾の特定充放電状態を先頭にシフトさせて、該第１、第２、…、（ｍ−１）番目、…、（２ｎ−２）番目、（２ｎ−１）番目、２ｎ番目の特定電荷分布における該特定充放電状態のそのほかの特定充放電状態をそのままにすることで、前記第２、第３、…、ｍ番目、…、（２ｎ−１）番目、２ｎ番目、第１の特定電荷分布が構成される（但し、１<ｍ<２ｎ、ｍは整数）、請求項２１に記載の方法。
【請求項２４】
前記第１の特定電荷分布から前記２ｎ番目特定電荷分布までのそれぞれにおいて、前記ｎ−１個の正に充電した状態は互いに隣接しており、そして／または前記ｎ−１個の負に充電した状態は互いに隣接している、請求項２０に記載の方法。
【発明の詳細な説明】
【技術分野】
【０００１】
本発明は、概略的には液晶ディスプレイ（ＬＣＤ、以下液晶ディスプレイをＬＣＤと略す場合がある）に関し、さらに詳細には、該ＬＣＤの極性反転の方法に関するものである。
【背景技術】
【０００２】
近年、ＬＣＤ表示パネルは、小型軽量、低作動電圧、低消費電力、そして輻射がないという利点を有することから、表示装置においては主流となっている。とりわけ、ノート型パーソナルコンピュータ、携帯電話や携帯情報端末（ＰＤＡ）などといった携帯用電子機器に対して、ＬＣＤは、携帯性の要求を満足することのできる唯一の表示パネルである。それ故に、ＬＣＤは近年においては不可欠な表示装置となっているとともに、さらに発達している。
【０００３】
ＬＣＤ表示装置では、特定の極性を有する電圧が液晶分子に長時間印加されると、たとえ該電圧が除去された後であっても、その液晶分子の特性が永久的に損なわれてしまっていることにより、電場の変化とともに回転しなくなってしまうだろう。従って、液晶分子の永久的な損傷を防止するために、たとえ表示された画像が変わっていなくとも、ＬＣＤに印加される電圧の極性を所定期間毎に反転しなくてはならない。そのため、ＬＣＤの駆動方法において、極性反転のための方法は極めて重要である。
【０００４】
ＬＣＤを駆動するための極性反転の、従来の方法を以下に説明する。液晶分子の二つの端子に印加される電圧は、一般的には正の電圧と負の電圧とに分類される。図１Ａ乃至図１Ｄは、ＬＣＤの極性反転の従来の方法を示すものである。一般的に、ＬＣＤの極性反転方法は、図１Ａに示すフレーム反転法、図１Ｂに示す行反転法、図１Ｃに示す列反転法、そして図１Ｄに示すドット反転法を含む。これらの方法における違いは、隣接する二つの画素の極性が同じか否かによるものである。それぞれの画素の極性反転は、画像の全フレームを走査することに同期している。フレーム反転法では、同一のフレームにおける全ての画素の極性は同じであり、二つの連続したフレーム走査間の全画素の極性は逆である。概して、フレーム反転法によって表示された画像では、フレームの全画素の極性が同時に変更されることから、フリッカが発生する。また、隣接する画素の極性が同一であるので、フレーム反転法によって表示された画像ではクロストークが発生する。行反転法では、隣接する二つの行の画素の極性は逆である。列反転法では、隣接する二つの列の画素の極性は逆であり、且つ、列反転法は最も消費電力が低い。ドット反転法では、隣接する二つの画素の極性が逆である。ドット反転法によってフリッカとクロストークの発生は明らかに改善されるため、近年では該方法は幅広く用いられている。
【発明の開示】
【発明が解決しようとする課題】
【０００５】
従って、ドット反転の低フリッカと低クロストーク発生の利点を生かし、また、電力消費量を低下させるため、従来のドット反転法からは、１ライン反転法、２ライン反転法やＮライン反転法が派生した。図２Ａ及び図２Ｂは、従来の１ライン反転法の極性分布と走査波形とを示し、図３Ａ及び図３Ｂは、従来の２ライン反転法の極性分布と走査波形とを示すものである。従来のＮライン反転法の極性分布と走査波形も容易に導き出すことができる。図３Ｂを参照すると、２ライン反転法において第１走査（水平）線と第２走査線との比較では、偶数の線における画素の充電量（データ線の波形の範囲に比例する）は、奇数の線における画素の充電量よりも多いことが分かる。従って、ユーザからすれば、偶数線の輝度は奇数線の輝度よりも高い、すなわち、ある線が明るいとすると、隣接する線は暗いということに注目すべきである。この問題は、１ライン反転法を除いて、２ライン反転法とＮライン反転法において起こり得る。そのため、ＬＣＤ表示装置では、フリッカ、クロストーク、そして交互する輝度分布のない駆動回路や駆動方法を有することが大いに望ましい。
【０００６】
そこで本発明は、ＬＣＤの電力消費量を低下させるために、ＬＣＤの極性反転方法を対象としている。
【０００７】
また、本発明は、ＬＣＤにおける交互輝度分布を減少させるために、ＬＣＤの極性反転方法を対象としている。
【課題を解決するための手段】
【０００８】
本発明の液晶ディスプレイの駆動方法は、複数の画素に対応する複数のデータ線を備えた液晶ディスプレイに好適である。例えば、該方法は次の工程を有するが、これには限定されない。まず、前記各データ線の前記複数の画素を駆動するために複数の特定極性分布を使用する。第１フレームは第１の特定極性分布を有し、前記第１フレームの後に続く第２フレームは第２の特定極性分布を有する。前記第２フレームに次ぐ第３フレームは第３の特定極性分布を有し、前記第３フレームに次ぐ第４フレームは第４の特定極性分布を有する。ここで注目すべきは、前記第１の特定極性分布と、前記第２の特定極性分布と、前記第３の特定極性分布と、前記第４の特定極性分布とは、互いに異なっているということである。
【０００９】
本発明の一実施例において、前記特定極性分布のそれぞれは四つの特定極性を有し、前記四つの特定極性の内の二つの特定極性は第１の極性を有し、前記四つの特定極性の内のそのほかの二つの特定極性は第２の極性を有する。
【００１０】
本発明の一実施例において、前記第１の特定極性分布と、前記第２の特定極性分布と、前記第３の特定極性分布と、前記第４の特定極性分布とが互いに異なるように、前記第１の特定極性分布と、前記第２の特定極性分布と、前記第３の特定極性分布と、前記第４の特定極性分布とは極性循環規則によって配列される。
【００１１】
本発明の一実施例において、前記極性循環規則において、前の特定極性分布における複数の特定極性の内の先頭の特定極性を末尾にシフトさせて、該複数の特定極性のそのほかの特定極性をそのままにすることで、次に続く特定極性分布を形成する。
【００１２】
本発明の一実施例において、前記極性循環規則において、前の特定極性分布における複数の特定極性の内の末尾の特定極性を先頭にシフトさせて、該複数の特定極性のそのほかの特定極性をそのままにすることで、次に続く特定極性分布を形成する。
【００１３】
本発明の一実施例において、前記四つの特定極性のそれぞれにおいて、前記第１の極性を有する前記四つの特定極性の内の前記二つの特定極性は互いに隣接しており、そして／または前記第２の極性を有する前記四つの特定極性の内の前記そのほかの二つの特定極性は互いに隣接している。
【００１４】
また、本発明は液晶ディスプレイの駆動方法を提供するものである。該液晶ディスプレイは複数のデータ線を備え、該各データ線は複数の画素に対応し、該各画素はキャパシタを備える。例えば、該方法は次の工程を有するが、これには限定されない。まず、前記各データ線の前記複数の画素を駆動するために複数の特定電荷分布を使用する。第１フレームは第１の特定電荷分布を有し、前記第１フレームの後に続く第２フレームは第２の特定電荷分布を有する。前記第２フレームに次ぐ第３フレームは第３の特定電荷分布を有し、前記第３フレームに次ぐ第４フレームは第４の特定電荷分布を有する。ここで注目すべきは、前記第１の特定電荷分布と、前記第２の特定電荷分布と、前記第３の特定電荷分布と、前記第４の特定電荷分布とは、互いに異なっているということである。
【００１５】
本発明の一実施例において、前記第１の特定電荷分布と、前記第２の特定電荷分布と、前記第３の特定電荷分布と、前記第４の特定電荷分布とのそれぞれは、充電化状態と、正に充電した状態と、放電化状態と、負に充電した状態とを含む四つの特定充放電状態を備える。
【００１６】
本発明の一実施例において、前記第１の特定電荷分布と、前記第２の特定電荷分布と、前記第３の特定電荷分布と、前記第４の特定電荷分布とが互いに異なるように、前記第１の特定電荷分布と、前記第２の特定電荷分布と、前記第３の特定電荷分布と、前記第４の特定電荷分布とは充電状態循環規則によって配列される。
【００１７】
本発明の一実施例において、前記充電状態循環規則において、前記第１、第２、第３、第４の特定電荷分布における先頭の特定充放電状態を末尾にシフトさせて、該第１、第２、第３、第４の特定電荷分布における該特定充放電状態のそのほかの特定充放電状態をそのままにすることで、前記第２、第３、第４、第１の特定電荷分布が構成される。
【００１８】
本発明の一実施例において、前記充電状態循環規則において、前記第１、第２、第３、第４の特定電荷分布における末尾の特定充放電状態を先頭にシフトさせて、該第１、第２、第３、第４の特定電荷分布における該特定充放電状態のそのほかの特定充放電状態をそのままにすることで、前記第２、第３、第４、第１の特定電荷分布が構成される。
【００１９】
本発明の一実施例において、前記第１の特定電荷分布と、前記第２の特定電荷分布と、前記第３の特定電荷分布と、前記第４の特定電荷分布とのいずれかにおいて、前記充電化状態と前記正に充電した状態とは互いに隣接しており、そして／または前記放電化状態と前記負に充電した状態は互いに隣接している。
【００２０】
さらに、本発明は液晶ディスプレイの駆動方法を提供するものである。該液晶ディスプレイは複数のデータ線を備え、該各データ線は複数の画素に対応している。例えば、該方法は次の工程を有するが、これには限定されない。まず、前記各データ線の前記複数の画素を駆動するために複数の特定極性分布を使用する。第１フレームは第１の特定極性分布を有し、前記第１フレームの後に続く第２フレームは第２の特定極性分布などを有する。従って、前記第１フレームから２ｎ番目（ｎ>２）フレームまでは、前記第１の特定極性分布と２ｎ番目特定極性分布とをそれぞれ有し、前記第１の特定極性分布から前記２ｎ番目特定極性分布までの特定極性分布は互いに異なっている。
【００２１】
本発明の一実施例において、前記２ｎ番目特定極性分布のそれぞれは２ｎの特定極性を有し、前記２ｎの特定極性の内のｎは第１の極性を有し、前記２ｎの特定極性の内のそのほかのｎは第２の極性を有する。
【００２２】
本発明の一実施例において、前記第１の特定極性分布から前記２ｎ番目特定極性分布までが互いに異なるように、前記第１の特定極性分布から前記２ｎ番目特定極性分布までは極性循環規則によって配列される。
【００２３】
本発明の一実施例において、前記極性循環規則において、前の特定極性分布における複数の特定極性の内の先頭の特定極性を末尾にシフトさせて、該複数の特定極性のそのほかの特定極性をそのままにすることで、次に続く特定極性分布を形成する。
【００２４】
本発明の一実施例において、前記極性循環規則において、前の特定極性分布における複数の特定極性の内の末尾の特定極性を先頭にシフトさせて、該複数の特定極性のそのほかの特定極性をそのままにすることで、次に続く特定極性分布を形成する。
【００２５】
本発明の一実施例において、前記２ｎの特定極性のそれぞれにおいて、前記第１の極性を有する四つの特定極性の内の前記ｎは互いに隣接しており、そして／または前記第２の極性を有する前記四つの特定極性の内の前記そのほかのｎは互いに隣接している。
【００２６】
また、本発明は液晶ディスプレイの駆動方法をさらに提供するものである。該液晶ディスプレイは複数のデータ線を備え、該各データ線は複数の画素に対応し、該各画素はキャパシタを備える。例えば、該方法は次の工程を有するが、これには限定されない。まず、前記各データ線の前記複数の画素を駆動するために複数の特定電荷分布を使用する。第１フレームは第１の特定電荷分布を有し、前記第１フレームの後に続く第２フレームは第２の特定電荷分布などを有する。従って、前記第１フレームから２ｎ番目（ｎ>２）フレームまでは、前記第１の特定電荷分布と２ｎ番目特定電荷分布とをそれぞれ有し、前記第１の特定電荷分布から前記２ｎ番目特定電荷分布までの特定電荷分布は互いに異なっている。
【００２７】
本発明の一実施例において、前記第１の特定電荷分布から前記２ｎ番目特定電荷分布までのそれぞれは、充電化状態と、ｎ−１個の正に充電した状態と、放電化状態と、ｎ−１個の負に充電した状態とを含む２ｎの特定充放電状態を備える。
【００２８】
本発明の一実施例において、前記第１の特定電荷分布から前記２ｎ番目特定電荷分布までが互いに異なるように、前記第１の特定電荷分布から前記２ｎ番目特定電荷分布までのそれぞれは充電状態循環規則によって配列される。
【００２９】
本発明の一実施例において、前記充電状態循環規則において、前記第１、第２、…、（ｍ−１）番目、…、（２ｎ−２）番目、（２ｎ−１）番目、２ｎ番目の特定電荷分布における先頭の特定充放電状態を末尾にシフトさせて、該第１、第２、…、（ｍ−１）番目、…、（２ｎ−２）番目、（２ｎ−１）番目、２ｎ番目の特定電荷分布における該特定充放電状態のそのほかの特定充放電状態をそのままにすることで、前記第２、第３、…、ｍ番目、…、（２ｎ−１）番目、２ｎ番目、第１の特定電荷分布が構成される（但し、１<ｍ<２ｎ、ｍは整数）。
【００３０】
本発明の一実施例において、前記充電状態循環規則において、前記第１、第２、…、（ｍ−１）番目、…、（２ｎ−２）番目、（２ｎ−１）番目、２ｎ番目の特定電荷分布における末尾の特定充放電状態を先頭にシフトさせて、該第１、第２、…、（ｍ−１）番目、…、（２ｎ−２）番目、（２ｎ−１）番目、２ｎ番目の特定電荷分布における該特定充放電状態のそのほかの特定充放電状態をそのままにすることで、前記第２、第３、…、ｍ番目、…、（２ｎ−１）番目、２ｎ番目、第１の特定電荷分布が構成される（但し、１<ｍ<２ｎ、ｍは整数）。
【００３１】
本発明の一実施例において、前記第１の特定電荷分布から前記２ｎ番目特定電荷分布までのそれぞれにおいて、前記ｎ−１個の正に充電した状態は互いに隣接しており、そして／または前記ｎ−１個の負に充電した状態は互いに隣接している。
【発明の効果】
【００３２】
以上により、本発明に係るＬＣＤの極性反転方法において、キャパシタの充電とキャパシタの放電との間隔は、従来のドット反転法の間隔と比較して長い。そのため本発明では、従来方法と比較して、低電流を印加することによっても高い輝度を得ることができる。このため、本発明による電力消費量は低いものとなる。また、残像効果によって、四つ、六つまたはそれ以上毎のフレームが連続した後、ユーザからすれば、フレームの全ての画素が同一の平均輝度を有するように見える。特に、全フレームが、同じ色を有する場合、いくつかの繰り返し表示される固定画像を有する場合、あるいは単一の固定画像（例えば、背景画像）を有する場合、本発明は交互輝度の問題を効果的に減少させることができる。
【００３３】
前述の一般的記載と以下の詳細な説明とは、共に例示的なものであり、特許請求の範囲で請求された発明にさらに説明を加えることを意図していると理解すべきである。
【００３４】
また、添付図面は、本発明の一層の理解を可能とするために含めたものであり、同図面は、本明細書に組み込まれると同時に、本明細書の一部を構成している。そして図面は本発明の実施態様を図示し、発明の詳細な説明と合まって、この発明の原理を説明する役割を果す。
【発明を実施するための最良の形態】
【００３５】
以下、発明の好適な実施例が図示されている添付図面を参照して本発明を詳述する。ただし、本発明は数多くの様々な形態で具体化することが可能であって、本明細書に記載の実施例に限定されるものと解釈してはならない。むしろ該実施例は、この開示が十分で完全なものとなるように提供されているとともに、本発明の範囲を当業者に対して十分に伝えることを意図する。なお、同一または類似する部分については、明細書全体に渡って同一符号を付して説明する。
【実施例】
【００３６】
図４Ａ及び図４Ｂは、本発明の一実施例に係る２ライン反転法の極性分布と走査波形とを示すものである。図４Ａを参照すると、本発明の一実施例に係る２ライン反転法では、４フレーム毎の走査を行った後に全フレームの極性が繰り返される。しかしながら、従来の２ライン反転法では、全フレームの極性は２フレーム毎の走査をした後に繰り返される。本発明の一実施例において、図４Ａを参照すると、例えば、第１データ線の第１から第４までの走査線における極性は、第１フレームの（＋、＋、−、−）から第２フレームの（＋、−、−、＋）、第３のフレームの（−、−、＋、＋）から第４フレームの（−、＋、＋、−）へと変化するが、これには限定されない。その後、上記の極性は第５（４＋１）フレームで（＋、＋、−、−）に戻ることになる。
【００３７】
図４Ｂを参照すると、例えば、フレームが第１フレームから第４フレームへと順次変化した場合、第１データ線と第１走査線との交点における画素の充電状態は変化し、該充電状態は、充電化状態と、正に充電した状態と、放電化状態と、負に充電した状態とを含む。同様に、第１フレームから第４フレームまでの第２走査線と第１データ線との交点における画素の充電状態は、正に充電した状態と、放電化状態と、負に充電した状態と、充電化状態とを含む。従って、第１フレームから第４フレームまでにおいて、第１走査線での画素の平均的な電荷分布（波形の平均範囲に比例する）は、第２走査線の平均電荷分布と同じである。すなわち、残像効果によって、四つ毎のフレームが連続した後、ユーザからすれば、第１走査線での画素の平均輝度は第２走査線での画素の平均輝度と同じであるように見える。同様に、図４Ｂに示す第１走査線から第８走査線までのいずれにおいても、四つの連続するフレームの全ての充電状態は、充電化状態と、正に充電した状態と、放電化状態と、負に充電した状態とを含む。そのため、四つ毎のフレームが連続した後、フレームの全ての画素は同一の平均輝度を有することになる。特に、全フレームが、同じ色を有する場合、いくつかの繰り返し表示される固定画像を有する場合、あるいは単一の固定画像（例えば、背景画像）を有する場合、本発明は交互する輝度の問題を効果的に減少させることができる。
【００３８】
図４Ｂを参照すると、いずれのフレームの第１データ線、あるいはいずれのデータ線においても、キャパシタの充電とキャパシタの放電との間隔は、図２Ｂに示す従来のドット反転法の間隔と比較して約２倍も長い。それ故に本発明では、低電流を印加することによっても高い輝度を得ることが可能であり、従って、本発明による電力消費量は低いものとなる。
【００３９】
また、図４Ａを参照すると、ＬＣＤ上の極性分布は、例えば、（＋、＋、−、−）等の基本的な分布を周期的に繰り返すことで構成されるが、これには限定されない。そのため、二つの隣接する画素の極性、または二つおきの画素の極性は逆であり、全フレームにおける画素の極性は、４フレーム毎に繰り返される。従って、本発明はフリッカやクロストークの問題を減少させることが可能である。
【００４０】
図５は、本発明の他の実施例に係る２ライン反転法の極性分布を示すものである。図５を参照すると、本実施例と図４Ａに示す実施例との違いは、第１データ線の第１から第４までの走査線における極性であって、第１フレームから第４フレームまでにかけての極性は、（＋、＋、−、−）から（−、＋、＋、−）、（−、−、＋、＋）、（＋、−、−、＋）へと変化し、第５フレームで（＋、＋、−、−）に戻る点にある。なお、図４Ａ及び図５において提案されている極性反転は例としてのみ提供されているのであって、本発明の範囲を限定するために使用することはできないことに注目すべきである。
【００４１】
従って上記実施例によれば、本発明によってＬＣＤの駆動方法が提供される。該ＬＣＤは複数のデータ線を有する。隣接するデータ線の極性分布は異なっている。各データ線の極性分布は、（＋、＋、−、−）と、（−、＋、＋、−）と、（−、−、＋、＋）と、（＋、−、−、＋）との四つの特定極性分布から選択される何れか一つの特定極性分布を繰り返すことで構成される、特定極性分布である。該特定極性分布は、四つの特定の極性を有し、それらの内、二つの隣接する特定極性は第１の極性（＋または−）を有し、他の二つの特定極性は第２の極性（−または＋）を有する。また、第１フレーム、第２フレーム、第３フレーム、第４フレームにおける前記特定極性分布は、それぞれ、第１の特定極性分布、第２の特定極性分布、第３の特定極性分布、第４の特定極性分布である。本発明の一実施例において、前の特定極性分布における先頭の特定極性を末尾にシフトさせてそのほかの特定極性をそのままにすることで、次に続く特定極性分布を得る。例えば図４Ａにおいて、第２フレームは第２の特定極性分布（＋、−、−、＋）を有するので、従って第３フレームは第３の特定極性分布（−、−、＋、＋）を有することになる。本発明の他の実施例において、前の特定極性分布における末尾の特定極性を先頭にシフトさせてそのほかの特定極性をそのままにすることで、次に続く特定極性分布を得る。例えば図５において、第３フレームは第３の特定極性分布（−、−、＋、＋）を有するので、従って第４フレームは第４の特定極性分布（＋、−、−、＋）を有することになる。
【００４２】
また、本発明はＬＣＤの駆動方法を提供するものである。該ＬＣＤは複数のデータ線を有する。該データ線のそれぞれは複数の画素を有し、各画素はキャパシタを有する。この発明の駆動方法は、各キャパシタを図４Ｂに示す充電状態のために備えている。各データ線（例えば、図４Ｂの第１データ線）における画素の全てのキャパシタは、データ線電荷分布を有する。図４Ａに示すように、隣接する二つのデータ線の該データ線電荷分布は異なっている。各データ線の電荷分布は、特定電荷分布を繰り返すことで構成される。図４Ｂに図示する第１フレームの第２走査線から第５走査線までに示すように、該特定電荷分布は、正に充電した状態と、放電化状態と、負に充電した状態と、充電化状態とを含む四つの特定充放電状態を有する。第１フレーム、第２フレーム、第３フレーム、第４フレームにおける前記特定電荷分布は、それぞれ、第１の特定電荷分布、第２の特定電荷分布、第３の特定電荷分布、第４の特定電荷分布である。図４Ｂを参照すると、本発明の一実施例において、次に続く特定電荷分布は、前の特定電荷分布における先頭の特定充放電状態を末尾にシフトさせてそのほかの特定充放電状態をそのままにすることで得る。すなわち、第１、第２、第３、第４の特定電荷分布における先頭の特定充放電状態を末尾にシフトさせて、該第１、第２、第３、第４の特定電荷分布における該特定充放電状態のそのほかの特定充放電状態をそのままにすることで、前記第２、第３、第４、第１の特定電荷分布が構成される。本発明の他の実施例において、次に続く特定電荷分布は、前の特定電荷分布における末尾の特定充放電状態を先頭にシフトさせてそのほかの特定充放電状態をそのままにすることで得る。すなわち、第１、第２、第３、第４の特定電荷分布における末尾の特定充放電状態を先頭にシフトさせて、該第１、第２、第３、第４の特定電荷分布における該特定充放電状態のそのほかの特定充放電状態をそのままにすることで、前記第２、第３、第４、第１の特定電荷分布が構成される。また、連続する四つのフレームの内の一つのフレーム（例えば、図４Ｂに示す第１フレームから第４フレームまでの内の一つのフレーム）は、充電化状態と、正に充電した状態と、放電化状態と、負に充電した状態との順に配列された特定電荷分布を有する（例えば、第１フレーム）。
【００４３】
図６Ａ及び図６Ｂは、本発明の一実施例に係る３ライン反転法の極性分布と走査波形とを示すものである。上述した２ライン反転法の実施例と比較すると、図６Ａ及び図６Ｂに示す本実施例における複数のフレームの極性は、６フレーム毎に繰り返されるようになっている。例えば、各フレームでの第１データ線における第１から第６走査線までの極性は、（＋、＋、＋、−、−、−）から、（＋、＋、−、−、−、＋）、（＋、−、−、−、＋、＋）、（−、−、−、＋、＋、＋）、（−、−、＋、＋、＋、−）、そして（−、＋、＋、＋、−、−）へと反転し、第７フレームで（＋、＋、＋、−、−、−）に戻る。
【００４４】
図６Ｂを参照すると、第１データ線と第１から第８走査線までから選択されるいずれの走査線との交点において、連続する六つのフレームでの電荷分布は、正に充電した状態と、正に充電した状態と、放電化状態と、負に充電した状態と、負に充電した状態と、充電化状態との六つの状態を有する。すなわち、六つのフレームが連続した後、フレームの全ての画素は同一の平均輝度を有することになる。従って、本発明は交互する輝度の問題を効果的に減少させることができる。
【００４５】
本発明の他の実施例において、各フレームでの第１データ線における第１走査線から第６走査線までの極性は、（＋、＋、＋、−、−、−）から、（−、＋、＋、＋、−、−）、（−、−、＋、＋、＋、−）、（−、−、−、＋、＋、＋）、（＋、−、−、−、＋、＋）、そして（＋、＋、−、−、−、＋）へと反転し、第７フレームで（＋、＋、＋、−、−、−）に戻る。なお、同様に、図６Ａで提案されている極性反転は例としてのみ提供されているのであって、本発明の範囲を限定するために使用することはできないことに注目すべきである。
【００４６】
図６Ｂを参照すると、連続する六つのフレーム（例えば、第１フレームから第６フレームまで）における、第１走査線から第８走査線までから選択されるいずれの走査線（例えば、第１走査線）においても、第２フレームから第３フレームまでにおいてのみ正極性状態が維持されるとともに、第５フレームから第６フレームまでにおいてのみ負極性状態が維持される。従って、液晶分子の特性が損なわれることがない。また、図６Ｂに示す３ライン反転法でのキャパシタの充電とキャパシタの放電との間隔は、図４Ｂに示す２ライン反転法の間隔と比較して約１．５倍も長い。それ故に本発明では、低電流を印加することによっても高い輝度を得ることが可能であり、従って、本発明による電力消費量は低いものとなる。
【００４７】
図７Ａ及び図７Ｂは、本発明の一実施例に係る２ライン反転法の極性分布と走査波形とを示すものである。図４Ａを参照すると、各フレームの第１データ線における第１から第４走査線までの極性は、（＋、＋、−、−）から（＋、−、−、＋）、（−、−、＋、＋）、（−、＋、＋、−）へと反転し、第５フレームで（＋、＋、−、−）に戻っている。しかしながら図７Ａでは、各フレームの第１データ線における第１から第４走査線までの極性は、（＋、＋、−、−）から（−、−、＋、＋）、（−、＋、＋、−）、（＋、−、−、＋）へと反転し、第５フレームで（＋、＋、−、−）に戻っている。すなわち、図４Ａに示す第１フレームから第４フレームにおける極性反転の配列を並べ直して、図７Ａに示す第１フレームから第４フレームにおける極性反転の配列を得ている。従って本発明の範囲は、さらに、図４Ａに示す第１フレームから第４フレームにおける極性反転、あるいは図６Ａに示す第１フレームから第６フレームにおける極性反転の再配列を含む。例えば、図４Ａでは異なる極性分布を持つ四つのフレームが存在するので、そのため４フレームに対しては、４×３×２×１＝２４通りの配列が存在する。ただし、各極性反転（例えば、図４Ａを参照）は、４フレームの内の何れか一つから開始することができるので（例えば、（−、−、＋、＋）から開始し、（−、＋、＋、−）、（＋、＋、−、−）、（＋、−、−、＋）へと反転し、そして（−、−、＋、＋）に戻る）、従って、図４Ａに示す４フレームに対する極性反転を実行する方法は、２４÷４＝６通り存在することになる。図４Ａ及び図７Ａに示す極性反転はその内の２通りである。
【００４８】
図７Ａを参照すると、第１フレームから第４フレームまでの期間中、いずれの画素の極性分布も、二つの正極性（＋）と二つの負極性（−）とを有していることが分かる。例えば、四つのフレームにおける第１走査線と第１データ線との交点での画素の極性は、＋、−、−、そして＋である。また、該４フレームにおける第２走査線と第１データ線との交点での画素の極性は、＋、−、＋、そして−である。このため、連続する四つの全てのフレーム中において、フレームにおけるいずれの画素にも二つの正極性（例えば、第１の極性と称する）と二つの負極性（例えば、負極性と称する）とが存在することになる。従って、連続する四つの全てのフレーム中において、フレームのいずれの画素も二つの第１の極性と二つの第２の極性とを含んでいる。
【００４９】
図７Ｂを参照すると、第１フレームから第４フレームまでにおいて、第１走査線と第１データ線との交点での画素の充電状態は、充電化状態、放電化状態、正に充電した状態、そして負に充電した状態を有していることが分かる。該４フレームにおける第２走査線と第１データ線との交点での画素の充電状態は、正に充電した状態、負に充電した状態、充電化状態、そして放電化状態を有している。従って、第１フレームから第４フレームまでにおいて、第１走査線での画素の平均的な電荷分布（すなわち、波形の範囲の平均）は、第２走査線での画素の平均電荷分布と同じである。換言すれば、四つ毎のフレームが連続した後は、フレームのいずれの画素の平均輝度も同一ということになる。
【００５０】
従って、本発明に係るＬＣＤの極性反転方法において、キャパシタの充電とキャパシタの放電との間隔は、従来のドット反転法の間隔と比較して長い。そのため本発明では、従来方法と比較して、低電流を印加することによっても高い輝度を得ることができる。このため、本発明による電力消費量は低いものとなる。また、残像効果によって、四つ、六つまたはそれ以上毎のフレームが連続した後、フレームの全ての画素が同一の平均輝度を有するように見えるようになる。特に、全フレームが、同じ色を有する場合、いくつかの繰り返し表示される固定画像を有する場合、あるいは単一の固定画像（例えば、背景画像）を有する場合、本発明は交互輝度の問題を効果的に減少させることができる。
【００５１】
当業者であれば、本発明の範囲または精神から逸脱することなく本発明の構成に対して様々な改良や変更が可能であることは容易に分かることであろう。以上の観点から、本発明はこの発明の改良や変更を包含することを意図しており、そのような改良や変更は、特許請求の範囲及びその均等物の範囲内に含まれる。
【図面の簡単な説明】
【００５２】
【図１Ａ】ＬＣＤの極性反転の従来方法であって、フレーム反転法を示すものである。
【図１Ｂ】ＬＣＤの極性反転の従来方法であって、行反転法を示すものである。
【図１Ｃ】ＬＣＤの極性反転の従来方法であって、列反転法を示すものである。
【図１Ｄ】ＬＣＤの極性反転の従来方法であって、ドット反転法を示すものである。
【図２Ａ】従来の１ライン反転法の極性分布を示すものである。
【図２Ｂ】従来の１ライン反転法の走査波形を示すものである。
【図３Ａ】従来の２ライン反転法の極性分布を示すものである。
【図３Ｂ】従来の２ライン反転法の走査波形を示すものである。
【図４Ａ】本発明の一実施例に係る２ライン反転法の極性分布を示すものである。
【図４Ｂ】本発明の一実施例に係る２ライン反転法の走査波形を示すものである。
【図５】本発明の他の実施例に係る２ライン反転法の極性分布を示すものである。
【図６Ａ】本発明の一実施例に係る３ライン反転法の極性分布を示すものである。
【図６Ｂ】本発明の一実施例に係る３ライン反転法の走査波形を示すものである。
【図７Ａ】本発明の一実施例に係る２ライン反転法の極性分布を示すものである。
【図７Ｂ】本発明の一実施例に係る２ライン反転法の走査波形を示すものである。
【図１Ａ】
2005266803.tif 000003
【図１Ｂ】
2005266803.tif 000004
【図１Ｃ】
2005266803.tif 000005
【図１Ｄ】
2005266803.tif 000006
【図２Ａ】
2005266803.tif 000007
【図２Ｂ】
2005266803.tif 000008
【図３Ａ】
2005266803.tif 000009
【図３Ｂ】
2005266803.tif 000010
【図４Ａ】
2005266803.tif 000011
【図４Ｂ】
2005266803.tif 000012
【図５】
2005266803.tif 000013
【図６Ａ】
2005266803.tif 000014
【図６Ｂ】
2005266803.tif 000015
【図７Ａ】
2005266803.tif 000016
【図７Ｂ】
2005266803.tif 000017